(57)【要約】      （修正有）【課題】雨水や結露水の排水性と室内への気密、水密性に優れ、複数の機能をより少ない部材及び材料で形成し、コスト低減の効果の高い屋外用下枠フラットサッシの下枠構造を提供する。【解決手段】建築物の屋外開口部に備えられた引き違い障子の外・内障子下框の室外側よりから垂下片を設け、下枠上面を略フラットに形成するとともに、上記外・内障子下框垂下片が嵌入するスライド排水溝１４ａ，１４ｂを設け、上記外・内障子垂下片室内側と、下枠とのタイト面を境にして屋外側と屋内側に分断し、且つ、障子が閉じた際の召合位置の下部に止水部材８０を取り付けて、室外空間と室内空間を遮断し、室外空間に位置するスライド排水溝に流れ込んできた水は排水孔を介して直接屋外へ排水し、室内空間に位置するスライド排水溝１４ａ，１４ｂに流れ込んできた水は逆止弁を取り付けた排水孔１８を介して屋外へ排水するようにした。【選択図】  図４
2004300728.tif 000002
【特許請求の範囲】
【請求項１】
建築物の屋外開口部に備えられた引き違い障子の外・内障子下框の室外側よりから垂下片を設け、下枠上面を略フラットに形成するとともに、上記外・内障子下框垂下片が嵌入するスライド排水溝を設け、上記外・内障子垂下片室内側と、下枠とのタイト面を境にして屋外側と屋内側に分断し、且つ、障子が閉じた際の召合位置の下部に止水部材を取り付けて、室外空間と室内空間を遮断し、室外空間に位置するスライド排水溝に流れ込んできた水は排水孔を介して直接屋外へ排水し、室内空間に位置するスライド排水溝に流れ込んできた水は逆止弁を取り付けた排水孔を介して屋外へ排水するようにしたことを特徴とする屋外用サッシの下枠構造。
【請求項２】
内障子用スライド排水溝の室内側側壁を形成する立ち上がり片上端に内障子用擬似レールを形成したことを特徴とする請求項１記載の屋外用サッシの下枠構造。
【請求項３】
外障子用スライド排水溝の室内側側壁を形成する立ち上がり片上端に外障子用擬似レールを設けたことを特徴とする請求項１記載の屋外用サッシの下枠構造。
【請求項４】
内障子戸車が走行する部分と、下枠のアングル部との間の下枠上端に排水孔を設け、この排水孔が室内空間に位置する内障子スライド排水溝に連通させることにより、屋外に排水するようにしたことを特徴とする請求項１記載の屋外用サッシの下枠構造。
【請求項５】
内障子戸車が走行する部分と、下枠のアングル部との間の下枠上端に塞ぎ部材を取り付け、この塞ぎ部材に排水孔を設けたことを特徴とする請求項４記載の屋外用サッシの下枠構造。
【発明の詳細な説明】
【０００１】
【発明の属する技術分野】
本発明は、引き違い障子の外・内障子下框室外側よりから垂下片を垂下させ、下枠上面を略フラットに形成し、その下枠上面に溝を形成して上記垂下片を嵌入させたバリアフリーサッシにおける下枠排水構造に関する。
【０００２】
【発明が解決しようとする課題】
本出願人は、下枠上面を略フラットに形成し溝を設け、この溝に障子下框から垂下させた垂下片を嵌入させた構造の引き違い障子のサッシ構造を検討した。
この場合、下框垂下片を下框の室内側に設けると障子下框の底部と下枠の間の隙間が外部側に生じることから、見映え上、あるいは防犯上の観点から外障子下框は室外側よりから垂下片を垂下させ、内障子下框も室外側よりから垂下片を垂下させる構造を検討した（特開２００２−２１３１５４号公報）。
このような構造では、溝を経由して雨水が屋外に排水されることになる。
溝から屋外に連通する排水穴を設けて直接排水すると、室外からの風圧等により雨水が、この排水穴を通じて室内側へ逆流して浸入する恐れがあるばかりでなく、風や外気の浸入路となってしまう。
そこで、下枠に中空部を設けてこの中空部に雨水や室内側の結露水を一旦流し込み、逆止弁を介して屋外に排水しようとすると、溝には室外空間に位置する部分もあり逆止弁の負担が大きくなり、逆止弁付き排水孔の数を多くしなければならず、排水の安定性が悪化しコスト高の要因にもなる。
また、コスト低減の観点からすると、部品点数の少ない簡単な構造の下枠にしなければならない要求もあった。
【０００３】
【特許文献１】
特開２００２−２１３１５４号公報
【０００４】
本発明は、上記技術的課題に鑑みて、雨水や結露水の排水性と室内への気密、水密性に優れ、複数の機能をより少ない部材及び材料で形成し、コスト低減の効果の高い屋外用下枠フラットサッシの下枠構造を提供することを目的とする。
【０００５】
【課題を解決するための手段】
請求項１記載の発明は、建築物の屋外開口部に備えられた引き違い障子の外・内障子下框の室外側よりから垂下片を設け、下枠上面を略フラットに形成するとともに、上記外・内障子下框垂下片が嵌入するスライド排水溝を設け、上記外・内障子垂下片室内側と、下枠とのタイト面を境にして屋外側と屋内側に分断し、且つ、障子が閉じた際の召合位置の下部に止水部材を取り付けて、室外空間と室内空間を遮断し、室外空間に位置するスライド排水溝に流れ込んできた水は排水孔を介して直接屋外へ排水し、室内空間に位置するスライド排水溝に流れ込んできた水は逆止弁を取り付けた排水孔を介して屋外へ排水するようにした。
【０００６】
室外空間に位置するスライド排水溝には雨水が多量に流れ込んでくるが、これは外気圧と同じなのでそのまま屋外に排水し、室内空間に位置するスライド排水溝は室内側に浸入してきた僅かの雨水や結露水等の少ない水が流れ込んでくるだけなので、この分は下枠の中空部の内側又は外側に取り付けた逆止弁付き排水孔を介して屋外に流すことになるので逆止弁の負担が非常に小さくなる。
また、中空部は室内空間に近い圧力になっている。
【０００７】
請求項２記載の発明は、内障子用スライド排水溝の室内側側壁を形成する立ち上がり片に内障子用擬似レールを形成した。
【０００８】
内障子用スライド排水溝の側壁を形成する立ち上がり片上端に内障子用擬似レールを形成したことで材料の使用量を低減できる。
【０００９】
請求項３記載の発明は、外障子用スライド排水溝の室内側側壁を形成する立ち上がり片上端に外障子用擬似レールを設けた。
【００１０】
このように、外障子用スライド排水溝の室内側側壁と擬似レールを同一の部材（板材）で形成することで材料の使用量を低減することが出来る。
【００１１】
請求項４記載の発明は、内障子戸車が走行する部分と、下枠のアングル部との間の下枠上端に排水孔を設け、この排水孔が室内空間に位置する内障子スライド排水溝に連通させることにより、屋外に排水するようにした。
【００１２】
これにより、内障子戸車が走行する部分と下枠のアングル部との間に流れ込んできた結露水等も、室内空間に位置する内障子スライド排水溝を経由して屋外に排水することができる。
【００１３】
請求項５記載の発明は、内障子戸車が走行する部分と、下枠のアングル部との間の下枠上端に塞ぎ部材を取り付け、この塞ぎ部材に排水孔を設けた。
【００１４】
このように、塞ぎ部材を下枠へ別体として取り付ける構造とすることで排水孔を容易に加工することができる。
【００１５】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【００１６】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１７】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１８】
図３の拡大図に基づいて下枠構造を説明する。
下枠１０の下枠ベース部は、室外側下枠ベース部材１１と室内側下枠ベース部材１２を断熱部材１６にて躯体取付け面１ａ上で連結して形成されている。
また、室外側下枠ベース部材１１及び室内側下枠ベース部材１２は個別に各種固定金具で躯体取付部１に取付固定されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは独立して分離出来るように、上面部材１５ａ、１５ｂが下枠ベース部に着脱自在に取り付けられている。
下枠上面は、通常その上を通過する際に躓きや嵌り込みの原因となる凹凸のない略フラットに形成されている。
【００１９】
また、外障子５０の下框５１の室外側よりから垂下片５１ｅが垂下され下枠１０上部に設けられている外障子スライド排水溝１４ａに嵌入し、内障子６０の下框６１の室外側よりから垂下片６１ｅが垂下され下枠１０上部に設けられている内障子スライド排水溝１４ｂに嵌入している。
外障子垂下片５１ｅの室内側にはタイト材５１ｆが設けられ、外障子スライド排水溝１４ａの室内側側壁に摺接しシールラインを形成している。
内障子垂下片６１ｅの室内側にはタイト材６１ｆが設けられ、内障子スライド排水溝１４ｂの室内側側壁に摺接しシールラインを形成している。
【００２０】
次に、下枠の排水構造及び排水経路について説明する。
図４に下枠を上から見た模式図を示す。
図４において、外障子と内障子の位置を方形の枠で示し、屋外側と屋内側を示している。
図５は、障子が閉じた際に外障子が位置する部分の下枠断面図及び排水経路を示す。
図６は障子の召合位置に対応する部分の下枠断面図を示す。
図７は、内障子が位置する部分の下枠断面図及び排水経路を示す。
図４に示すように、下枠の上部には外障子スライド排水溝１４ａと内障子スライド排水溝１４ｂが設けられ、内障子スライド排水溝１４ｂを室外空間と室内空間を遮断するために障子が閉じた際の召合位置の下部に止水部材８０が取り付けられている。
外障子スライド排水溝１４ａは、室外空間に位置し、内障子スライド排水溝１４ｂは、止水部材８０より外障子側が室内空間に位置し内障子側が室外空間に位置している。
【００２１】
図４〜図７において、Ａ、Ｂ、Ｃ、Ｄ、Ｅ、Ｆにて示した矢印は雨水又は結露水の流れを示し、Ａ１、Ａ２、Ｂ１、Ｂ２、Ｂ３、Ｃ１、Ｃ２、Ｄ１、Ｄ２、Ｄ３、Ｄ４、Ｄ５、Ｄ６、Ｆ１及び１８は、それぞれ排水穴を代表的に表示したもので、設ける排水穴数は下枠の長さや障子戸の大きさにより適切に選定される
【００２２】
外障子が位置する部分の排水経路を図５に基づいて以下説明する。
外障子下框の室外側よりから垂下させた垂下片５１ｅの室内側に取り付けたタイト材５１ｆがスライド排水溝１４ａの室内側側壁に当接してシールしているが、この垂下片の室外側には外障子スライド排水溝１４ａの隙間が設けられていることから、外障子下框の室外側側壁を伝わってきた雨水等は、この外障子スライド排水溝１４ａに流れ込む。
室外空間に位置する外障子スライド排水溝１４ａに流れ込んだ雨水は、外気圧と同じなので上面部材１５ａ及び下枠ベース部材に設けられた排水穴Ａ１、Ａ２を経由して屋外に排水される。
【００２３】
内障子スライド排水溝１４ｂは、図５の場合には室内空間に位置しているので直接雨水が浸入してくることはない。
しかし、室内側に結露水が発生した場合や、仮に雨水が浸入してきた場合は、下枠ベース部材及び上面部材１５ｂに設けた排水穴Ｂ１、Ｂ２、Ｂ３を経由して下枠ホロー部１４ｃに一旦流し込まれ、逆止弁１８ａが取り付けられた排水穴１８を介して屋外に排水される。
内障子スライド排水溝１４ｂに流れ込む水は、図５の場合少ないので逆止弁の負担は非常に小さい。
【００２４】
障子戸ガラス室内面等に結露水が発生した時などの下枠のアングル部１７上からの排水は、矢印Ｃに示すように、内障子戸車が走行する擬似レール１９ｂとアングル部１７の間に取り付けられた塞ぎ材１７ｂの排水穴Ｃ１から、直下に設けられた排水溝１７ａへ流れ、排水穴Ｃ２を通り、内障子スライド排水溝１４ｂにて矢印Ｂに示す排水と合流し、排水穴Ｂ１、Ｂ２、Ｂ３を通り、ホロー部１４Ｃを経由して逆止弁１８ａを設けた排水穴１８より排水される。
排水溝１７ａは、内障子スライド排水溝１４ｂの室内側側壁を形成している立ち上がり片１０２により室外側側壁を形成され、立ち上がり片１０２上部には内障子用擬似レール１９ｂが形成されている。
矢印Ｃ及び矢印Ｂの排水は室内空間から室外空間へ行われることになるが、逆止弁１８ａを設けているために室外と室内の気圧差や風により室内側へ逆流することはない。
これにより、ホロー部１４ｃ内は室内空間に近い圧力になっている。
【００２５】
召合位置に対応する下枠部分の断面図を図６に示す。
止水部材８０は、ベース部８１により内障子スライド排水溝１４ｂの室外空間と室内空間のシールを行い、モヘア８２ａは外障子下框５１下端に摺接して室外空間と室内空間のシールを行っている。
モヘア８２ｂは内障子下框垂下片６１ｅの室外側側面に摺接して室外空間と室内空間のシールを行い、モヘア８２ｃは内障子下框垂下片６１ｅ下端からタイト材６１ｆに摺接して室外空間と室内空間のシールを行っている。
召合位置下部の室外空間と室内空間は、このように止水部材８０により遮断されている。
【００２６】
内障子が位置する部分の下枠の排水経路を図７に基づいて説明する。
内障子の下框垂下片６１ｅが内障子スライド排水溝１４ｂ内に嵌入し、垂下片６１ｅの室内側に設けられたタイト材６１ｆが内障子スライド排水溝の室内側側壁に当接してシールしているが、垂下片の室外側には所定の隙間が設けられているので雨水等は外障子スライド排水溝１４ａのみならず、内障子スライド排水溝１４ｂにも流れ込んでくる。
この場合に、内障子スライド排水溝１４ｂも外気と連通し室外空間に位置することになる。
従って、逆止弁を介しなくてもそのまま、屋外に排水すればよいので、図７に示すように下枠ベース部材及び外障子側上面部材１５ａ、内障子側上面部材１５ｂに例えば、Ｄ１、Ｄ２、Ｄ３、Ｄ４、Ｄ５、Ｄ６の位置に排水穴を設けて屋外に排水する。
この場合、断熱部材１５ｃは、排水穴部分を避けて長手方向に分割配置されている。
また、外障子スライド排水溝１４ａにＥの経路で流れ込んでくる雨水も、Ｄの排水経路に合流することとなる。
【００２７】
室内側において、図７に示すように内障子ガラス室内面等に結露水が発生した時などのアングル部１７上から擬似レール１９ｂまでの間からの排水は、アングル部１７の塞ぎ部材１７ｂに設けられた排水穴Ｆ１の直下に設けられた排水溝１７ａへ行われる。
アングル部及び塞ぎ部材は室内空間に位置している。
排水溝１７ａは、図５に示される外障子側の排水溝まで連通されており、排水は内障子スライド排水溝の室内空間に位置する部分を通る図５における矢印Ｃの経路に合流して行われることとなる。
これにより、室内空間に位置するアングル部上から擬似レールまでの下枠上面に流れ込んできた結露水等も、室内空間に位置する内障子スライド排水溝を経由して屋外へ排水することが出来る。
蓋状の塞ぎ部材１７ｂは、着脱可能にアングル部１７と擬似レール１９ｂの間の下枠上面に嵌着されている。
室内空間に位置する内障子スライド排水溝は、内障子側からは少ない水が流れ込んでくるだけとなり、外障子側に流れ込んでくる水と合わせて逆止弁を取り付けた排水孔を介して屋外へ排水するが、逆止弁の負担は非常に小さく排水性に優れている。
排水穴Ｆ１は塞ぎ部材１７ｂを別体として加工するため容易に設けることが出来る。
【００２８】
図３に示すように、外障子スライド排水溝１４ａの室内側側壁を形成している第４立ち上がり片１０４上端は、擬似レール１９ａが形成された後、下方へ曲げられ外障子スライド排水溝１４ａの室内側側壁となり、垂下片５１ｅに設けられたタイト材５１ｆが摺接している。
上記のように外障子スライド排水溝１４ａ室内側側壁を形成する第４立ち上がり片１０４上端に外障子用擬似レール１９ａを設けているため、使用する材料の低減に効果がある上に構造もコンパクトになっている。
【００２９】
内障子スライド排水溝１４ｂの室内側側壁を形成している第２立ち上がり片１０２には、内障子下框６１の室外側よりから垂下された垂下片６１ｅに設けられたタイト材６１ｆが摺接し、内障子スライド排水溝１４ｂの室内側側壁となっている。
第２立ち上がり片１０２上端には内障子用擬似レール１９ｂが形成されている。
上記のように内障子スライド排水溝１４ｂ室内側側壁を形成する第２立ち上がり片１０２上端に内障子用擬似レール１９ｂを設けているため、使用する材料の低減に効果がある上に構造もコンパクトになっている。
【００３０】
内障子側上面部材１５ｂは、着脱可能に下枠ベース部材及び立ち上がり片１０３と立ち上がり片１０４で形成される凹部へ嵌着されている。
上面部材１５ｂは下枠上面の平面部１１２を形成するとともに、内障子スライド排水溝１４ｂの室外側側壁も形成している。
上面部材１５ｂは、着脱可能に下枠ベース部材へ嵌着されているため、内障子スライド排水溝１４ｂへ入ったゴミは、上面部材１５ｂを取り外すことで掃除機などで容易に取り除くことが出来る。
【００３１】
また、外障子側上面部材１５ａは下枠上面の平面部１１３、平面部１１４を形成するとともに、外障子スライド排水溝１４ａの室外側側壁も形成し、立設片１０６部分は外障子スライド排水溝１４ａの室外側側壁を形成している。
上面部材１５ａは着脱可能に下枠ベース部材へ嵌着されているため、外障子スライド排水溝１４ａへ入ったゴミは、上面部材１５ａを取り外すことで掃除機などで容易に取り除くことが出来る。
【００３２】
図１〜図３において障子構造を説明する。
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱部材からなる室内部材５１ｂ、５２ｂ、５３ｂが連結されたクラッドサッシ構造となっている。
【００３３】
外障子下框構造を図３にて説明する。
外障子の下框５１の室外側よりから外障子下框垂下片５１ｅが垂下され、下枠上部に形成した外障子用スライド排水溝１４ａに嵌入するようになっている。
外障子下框垂下片５１ｅの室内側には、タイト材５１ｆが取り付けられ、下枠のスライド排水溝側壁との間をシールする。
外障子下框底部には戸車５１ｃが取り付けられ、戸車のタイヤの外周中央部は凹部形状５１ｄになっていて、擬似レール１９ａと当接回転するようになっている。
【００３４】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱部材からなる室内部材６１ｂ、６２ｂ、６３ｂ、６４ｂが連結されたクラッドサッシ構造となっている。
【００３５】
内障子の下框６１の室外側よりから内障子下框垂下片６１ｅが垂下され、下枠上部に形成した内障子用スライド排水溝１４ｂに嵌入するようになっている。
本実施例においては、外障子下框の垂下片が室外側よりからのみ垂下され、内障子も内障子下框の室外側よりからのみ垂下片を垂下させた構造になっている。
内障子下框垂下片６１ｅの室内側にはタイト材６１ｆが取り付けられ、下枠のスライド排水溝側壁との間をシールする。
内障子下框底部には戸車６１ｃが取り付けられ、戸車のタイヤの外周中央部は凹部形状６１ｄになっていて、擬似レール１９ｂと当接回転するようになっている。
【００３６】
図２に示すように、外障子５０には取っ手１２１が、内障子６０には取っ手１２２が設けられている。
外障子５０の取っ手１２１は、外障子５０の開放を使用者がスムーズに行えるようにする他に、その柄部１２１ａが外障子５０の全開放時に内障子召合框６４に当接し、開放規制するストッパ機能も有している。
内障子６０には、戸当框６３の取っ手１２２に対向する位置にストッパ部材１２２ａが設けられ、内障子６０全開放時にストッパ部材１２２ａが外障子召合框５４に当接し、開放規制する。
このように、障子の開放規制のためのストッパを下枠部分には設けておらず、下枠の略フラット構造はストッパの突起を設けることなく、良好に実現されている。
【００３７】
図１に示すように、網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００３８】
【発明の効果】
本発明においては、室外空間に位置するスライド排水溝には雨水が多量に流れ込んでくるが、これは外気圧と同じなのでそのまま屋外に排水し、室内空間に位置する内障子スライド排水溝は室内側に浸入してきた僅かの雨水や結露水等の少ない水が流れ込んでくるだけなので、この分は下枠の中空部の内側又は外側に取り付けた逆止弁付き排水孔を介して屋外に流すことになるので逆止弁の負担が非常に小さくなる。
また、中空部は室内空間に近い圧力になっている。
【００３９】
内障子スライド排水溝の側壁を形成する立ち上がり片上端に内障子用擬似レールを形成したことで材料の使用量を低減できる。
【００４０】
外障子スライド排水溝の室内側側壁と擬似レールを同一の部材（板材）で形成することで材料の使用量を低減することが出来る。
【００４１】
内障子戸車が走行する部分と、下枠のアングル部との間に設けた排水孔は、室内空間に位置する内障子スライド排水溝に連通させることで、内障子戸車が走行する部分とアングル部の間の下枠上面に流れ込んできた結露水等も室内空間に位置する内障子スライド排水溝を経由して屋外に排水することが出来る。
【００４２】
内障子戸車が走行する部分とアングル部の間に取り付けた塞ぎ部材は、下枠へ別体として取り付ける構造とすることで、排水孔を容易に加工することが出来る。
【図面の簡単な説明】
【図１】本発明に係る下枠構造を適用したサッシの縦断面図を示す。
【図２】本発明に係る下枠構造を適用したサッシの横断面図を示す。
【図３】下枠付近の拡大図を示す。
【図４】下枠を上方から見た模式図を示す。
【図５】外障子側の下枠断面図（排水経路）を示す。
【図６】召合位置の下枠断面図を示す。
【図７】内障子側の下枠断面図（排水経路）を示す。
【符号の説明】
１      躯体取付け部
１ａ    躯体取付け面
１０    下枠
１１    室外側下枠ベース部材
１２    室内側下枠ベース部材
１４ａ  外障子スライド排水溝
１４ｂ  内障子スライド排水溝
１４ｃ  下枠ホロー部（中空部）
１５ａ、１５ｂ  上面部材
１６    断熱部材
１７    アングル部
１７ａ  排水溝
１７ｂ  塞ぎ部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子垂下片
５１ｆ  外障子下框タイト材
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子垂下片
６１ｆ  内障子下框タイト材
７０    網戸
８０    止水部材
８１    ベース部
８２ａ、８２ｂ、８２ｃ  モヘア
１０１  第１立ち上がり片
１０２  第２立ち上がり片
１０３  第３立ち上がり片
１０４  第４立ち上がり片
１０５  第５立ち上がり片
１０６  立設片
１０７  ホロー部側壁
１１２，１１３，１１４  平面部
１２１、１２２  取っ手
１２１ａ  柄部
１２２ａ  ストッパ部材
【図１】
2004300728.tif 000003
【図２】
2004300728.tif 000004
【図３】
2004300728.tif 000005
【図４】
2004300728.tif 000006
【図５】
2004300728.tif 000007
【図６】
2004300728.tif 000008
【図７】
2004300728.tif 000009